(57)【要約】【課題】折り畳み式運搬台車のハンドルを略水平に折り畳んだ状態で容易かつ確実にロックすると共に、そのロックを容易に解除することができるようにする。【解決手段】車輪を備えた積載台１の後端にハンドル５を折り畳み自在に立設してなる折り畳み式運搬台車において、該ハンドルの上部にはフック１３を備えさせ、該積載台には該フックに対応するフック受け具１５を取り付け、該フックが該フック受け具に係止したときには該ハンドルが該積載台に対し折り畳んだ状態でロックされるようになし、該フックは該フック受け具に対し係脱する方向に回動自在となし、該フックは、ばね１９により、常時該フック受け具に係止する方向に付勢され、該フックには操作レバー２１を備えさせ、該操作レバーを該ばねの力に抗して回動させることにより該フックが該フック受け具から脱離するようにする。【選択図】図３
0003159596.tif 000002
【実用新案登録請求の範囲】
【請求項１】
車輪を備えた積載台の後端にハンドルを折り畳み自在に立設してなる折り畳み式運搬台車において、
該ハンドルの上部にはフックを備えさせ、該積載台には該フックに対応するフック受け具を取り付け、該フックが該フック受け具に係止したときには該ハンドルが該積載台に対し折り畳んだ状態でロックされるようになし、
該フックは該フック受け具に対し係脱する方向に回動自在となし、
該フックは、ばねにより、常時該フック受け具に係止する方向に付勢され、
該フックには操作レバーを備えさせ、該操作レバーを該ばねの力に抗して回動させることにより該フックが該フック受け具から脱離するようにしたことを特徴とする折り畳み式運搬台車のハンドルロック装置。
【請求項２】
前記操作レバーは、前記ハンドルの上端に備えさせた水平のハンドルグリップ杆に常時近接した位置に配設し、該ハンドルグリップ杆を握る手指で該操作レバーを前記ばねの力に抗して該ハンドルグリップ杆に引き寄せたときに前記フックが前記フック受け具から脱離するようにしたことを特徴とする請求項１に記載の折り畳み式運搬台車のハンドルロック装置。
【考案の詳細な説明】
【技術分野】
【０００１】
本考案は、折り畳み式運搬台車（折り畳み可能な運搬台車）のハンドルロック装置に関するものである。該折り畳み式運搬台車はハンドルを手で押して移動させるようにした手押し台車である。
【背景技術】
【０００２】
本出願人の出願に係る特開２００８−２７３４１８号公報は、車輪を備えた積載台の後端にハンドルを折り畳み自在に立設してなる折り畳み式運搬台車（以下「従来の折り畳み式運搬台車」という。）を開示している。
【先行技術文献】
【特許文献】
【０００３】
【特許文献１】特開２００８−２７３４１８号公報
【考案の概要】
【考案が解決しようとする課題】
【０００４】
従来の折り畳み式運搬台車は、商品、荷物等の被宅配物を宅配する際にしばしば使用されている。このような宅配においては、従来の折り畳み式運搬台車は、ハンドルを下方に回動させ、積載台上に略水平に倒した状態（すなわち、折り畳んだ状態）で、被宅配物と共に、トラック等の車両に積載される。車両が目的地に到着したときには、ハンドルを折り畳んだ状態の運搬台車を車両から降ろし、地上にてハンドルを上方に回動させて積載台上に立て、被宅配物をトラックから降ろして該積載台上に載置し、該折り畳み式運搬台車により被宅配物を運搬するという手法が一般に採られている。
【０００５】
しかるに、宅配等の場合には、一般に、作業者は、目的地において被宅配物をハンドルを折り畳んだ状態の運搬台車と共に極めて限られた時間内に車両から降ろすことが要求される。したがって、折り畳み式運搬台車の場合には、車両内においては積載台上に略水平に倒れているハンドルが、作業者の持ち方によっては、運搬台車を車両から降ろす際に上方に回動するおそれがある。このように、ハンドルが積載台から開いたときには、該ハンドルが人に当るおそれがある。このようなことは、特に、人混みの中で折り畳み式運搬台車を車両から降ろす際には大きな危険を招来するおそれがある。
【０００６】
このような状況に鑑み、本考案は、折り畳み式運搬台車のハンドルを略水平に折り畳んだ状態で容易かつ確実にロックすると共に、そのロックを容易に解除することができるようにした折り畳み式運搬台車のハンドルロック装置を提供しようとしてなされたものである。
【課題を解決するための手段】
【０００７】
上記課題を解決するために、本考案は、下記の折り畳み式運搬台車のハンドルロック装置を提供する。
【０００８】
（１）車輪を備えた積載台の後端にハンドルを折り畳み自在に立設してなる折り畳み式運搬台車において、
該ハンドルの上部にはフックを備えさせ、該積載台には該フックに対応するフック受け具を取り付け、該フックが該フック受け具に係止したときには該ハンドルが該積載台に対し折り畳んだ状態でロックされるようになし、
該フックは該フック受け具に対し係脱する方向に回動自在となし、
該フックは、ばねにより、常時該フック受け具に係止する方向に付勢され、
該フックには操作レバーを備えさせ、該操作レバーを該ばねの力に抗して回動させることにより該フックが該フック受け具から脱離するようにしたことを特徴とする折り畳み式運搬台車のハンドルロック装置（請求項１）。
【０００９】
（２）前記操作レバーは、前記ハンドルの上端に備えさせた水平のハンドルグリップ杆に常時近接した位置に配設し、該ハンドルグリップ杆を握る手指で該操作レバーを前記ばねの力に抗して該ハンドルグリップ杆に引き寄せたときに前記フックが前記フック受け具から脱離するようになす（請求項２）。
【考案の効果】
【００１０】
［請求項１の考案］
ハンドルを略水平に倒して折り畳んだときには、フックがばねの力により積載台のフック受け具に係止するため、ハンドルを折り畳む際には単にハンドルを略水平に倒すだけで該ハンドルが該積載台に対し折り畳んだ状態でロックされる。すなわち、ハンドルを折り畳んだ状態にロックする作業は極めて簡単である。フックは、ばねにより、常時該フック受け具に係止する方向に付勢されているため、ハンドルは折り畳んだ状態に確実にロックされ、解除操作を行わない限り、ハンドルは確実にロックされた状態に維持される。
【００１１】
また、フックに備えさせた操作レバーをばねの力に抗して回動させることにより該フックが該フック受け具から脱離するようにしたため、ハンドルのロックを極めて容易に解除することができる。
【００１２】
［請求項２の考案］
ハンドルグリップ杆を握る手指で操作レバーをばねの力に抗して該ハンドルグリップ杆に引き寄せたときにフックがフック受け具から脱離し、ハンドルのロックが解除されるようにしたため、使用者は、ハンドルを上方に回動させて立てる際には、単にハンドルグリップ杆と操作レバーとを同時に握ってハンドルを上方に引き上げればよく、その操作は極めて簡単である。
【図面の簡単な説明】
【００１３】
【図１】図１は、ハンドルロック装置を備えた折り畳み式運搬台車の一例を示す側面図である。
【図２】図２は、同上折り畳み式運搬台車の平面図である。
【図３】図３は、ハンドルロック装置において、フックがフック受け具に係止している状態を示す側面図である。
【図４】図４は、同上ハンドルロック装置において、フックがフック受け具から脱離した状態を示す側面図である。
【図５】図５は、同上ハンドルロック装置の正面図である。
【図６】図６は、同上ハンドルロック装置の平面図である。
【考案を実施するための形態】
【００１４】
符号１に示すものは折り畳み式運搬台車の積載台である。積載台１は下面に複数の車輪（キャスター）３、３・・・を備えている。
【００１５】
積載台１の後端には、ハンドル５が折り畳み自在に立設されている。すなわち、ハンドル５は、積載台１の後端に、回動軸７を介して上下方向に回動自在に取り付けられている。符号９に示すものは、ハンドルポールである。
【００１６】
ハンドル５は、一対のハンドルポール９、９の上端間に、水平のハンドルグリップ杆１１を備えている。
【００１７】
ハンドル５の上部にはフック１３を備えさせ、積載台１には該フック１３に対応するフック受け具１５を取り付け、該フック１３が該フック受け具１５に係止したときにはハンドル５が積載台１に対し折り畳んだ状態でロックされるようになす。フック受け具１５は、一例として、積載台１の底面１ａから上方に適宜の高さで配設した板状体とする。
【００１８】
フック１３はフック受け具１５に対し係脱する方向に回動自在となるようにハンドル５の上部に回動軸１７を介して取り付けられている。
【００１９】
フック１３は、ばね１９により、常時フック受け具１５に係止する方向に付勢されている。すなわち、一例として、ばね１９は、鋏形ばねとし、これを回動軸１７に掛け回し、一方の先端１９ａをフック１３に取り付け、他方の先端１９ｂをハンドル５の上部に取り付ける。
【００２０】
フック１３には操作レバー２１を取り付ける。
【００２１】
操作レバー２１をばね１９の力に抗して回動させることによりフック１３がフック受け具１５から脱離するようになす。
【００２２】
操作レバー２１は、ハンドル５の上端に備えさせた水平のハンドルグリップ杆１１に常時近接した位置に配設する。すなわち、操作レバー２１は、ハンドルグリップ杆１１と平行な杆状体とし、該ハンドルグリップ杆１１に近接した位置に配設する。
【００２３】
ハンドルグリップ杆１１を握る手指で操作レバー２１をばね１９の力に抗して該ハンドルグリップ杆１１に引き寄せたときにフック１３がフック受け具１５から脱離するようになす。
【００２４】
なお、操作レバー２１には、積載台１の車輪３をロックする装置の操作手段を兼ねさせてもよい。
【符号の説明】
【００２５】
１  積載台
１ａ  底面
３  車輪
５  ハンドル
７  回動軸
９  ハンドルポール
１１  ハンドルグリップ杆
１３  フック
１５  フック受け具
１７  回動軸
１９  ばね
１９ａ  一方の先端
１９ｂ  他方の先端
２１  操作レバー
【図１】
0003159596.tif 000003
【図２】
0003159596.tif 000004
【図３】
0003159596.tif 000005
【図４】
0003159596.tif 000006
【図５】
0003159596.tif 000007
【図６】
0003159596.tif 000008